(57)【特許請求の範囲】
【請求項１】
管制官が航空機パイロットに送信する管制指示データを入力する管制指示入力手段と、該管制指示入力手段からの指示によりＣＰＤＬＣメッセージを作成すると共に前記指示及び作成結果に基づく画像を表示手段に表示させる制御手段と、該制御手段の制御による画像を表示する表示手段とによりなるＣＰＤＬＣメッセージ作成システムにおいて、
前記表示手段により表示されるＣＰＤＬＣメッセージ作成画面のイメージと前記管制指示入力手段に設けられる複数の操作機器の配列を対応づけて構成し、
前記ＣＰＤＬＣメッセージ作成画面内に、
複数のカテゴリ表示領域と、
作成したＣＰＤＬＣメッセージ表示領域と、
複数のパラメータ入力モード表示領域と、
を設けるとともに、
前記管制指示入力手段に、
前記表示手段の表示画面上の複数のカテゴリ表示領域の表示内容と、
前記表示手段の表示画面上のメッセージの動詞部の表示領域の表示内容と、
前記表示手段の表示画面上の複数のパラメータ入力モード領域に対応したＣＰＤＬＣメッセージの複数のパラメータ入力モードと、
を切替える操作機器を設け、
前記管制指示入力手段は、
前記管制指示入力手段を介して選択された前記カテゴリを前記制御手段に伝え、
前記制御手段は、
選択された前記カテゴリに属するＣＰＤＬＣメッセージの動詞部を、
前記表示手段の表示画面上のメッセージの動詞部の表示領域に表示させる
ことを特徴とするＣＰＤＬＣメッセージ作成システム。
【請求項２】
前記操作機器は、複数の選択ボタンまたは単一構成の画面スクロールボタンであることを特徴とする請求項１記載のＣＰＤＬＣメッセージ作成システム。
【発明の詳細な説明】
【０００１】
【発明の属する技術分野】
本発明は、航空用管制卓で管制官とパイロット間の通信をデータリンクによるメッセージ交換で行うＣＰＤＬＣ（Controller-Pilot Datalink Communications）システムにおいて、管制官がパイロットに管制指示するＣＰＤＬＣメッセージの作成システムに関するものである。
【０００２】
【従来の技術】
現在、ＣＰＤＬＣ（Controller-Pilot Datalink Communications）は、まだ試行運用と評価の目的で開発されている段階であるが、ＣＰＤＬＣメッセージの作成装置として既に発表されているものとしては、例えば特開平１０−３４０３９８号公報の図４に示された管制席の管制指示入力装置がある。
【０００３】
前記特許公報の図４に示された管制席の管制指示入力装置では、その操作パネルに、トラックボール、ヘディング(HEADING)ダイヤル、高度(ALTITUDE)ダイヤル、速度(SPEED)ダイヤル、トランスミットボタン（管制指示送信ボタン）、ドラッグ(DRAG)ボタン、ラジャ(ROGER)ボタン、…等の多数のダイヤルやボタンが設けられている。なお、上記のトラックボールはマウスと同様の機能を有し、カーソル位置を移動できる。またヘディングダイヤルは航空機の角度（方位）の値を編集し、高度ダイヤルは航空機の高度の値を編集し、速度ダイヤルは航空機の速度の値を編集するものである。
【０００４】
管制管は、操作パネル上のトラックボールを用いて管制指示を行う航空機を選択し、この航空機に対する管制指示のメッセージを作成する。
例えば、現在１０，０００フィートを飛行中の航空機に１０，０００フィートより高い高度を指示する場合には、“CLIMB TO AND MAINTAIN”（１０，０００フィートより上昇し、指示した高度を保持せよ）のメッセージを管制指示作成画面上に作成する。そしてトランスミットボタンを押すと、選択した航空機に対して、上記の管制指示作成画面上に作成された管制指示のメッセージが送信される。
このように前記特許公報に示された管制指示入力装置は、操作パネル上にある１つのボタンに対して１種類のＣＰＤＬＣメッセージが関連付けられており、あるボタンを押下することで１つのＣＰＤＬＣメッセージを作成するという考えに基づいた装置であった。
【０００５】
【発明が解決しようとする課題】
しかしながら、上記のような従来の管制指示入力装置では、用意されたボタンの数だけのＣＰＤＬＣメッセージしか作成できないので、多くの種類のＣＰＤＬＣメッセージを作成するためには、それに見合った数だけのボタンを用意する必要があった。
従って作成可能なＣＰＤＬＣメッセージの数を増やそうとすると、それだけの数のボタンを増やす必要がある。しかしあまりにボタン数が多いと、管制官が必要とするボタンを探すために多くの時間がかかってしまい、迅速且つ確実に管制指示を出せない状況が発生し、管制の安全上問題となる。そのため、設置可能なボタン数は限られたものとなり、その結果、作成可能なＣＰＤＬＣメッセージの数も限られているのが現状である。
【０００６】
【課題を解決するための手段】
本発明に係るＣＰＤＬＣメッセージ作成システムは、管制官が航空機パイロットに送信する管制指示データを入力する管制指示入力手段と、該管制指示入力手段からの指示によりＣＰＤＬＣメッセージを作成すると共に前記指示及び作成結果に基づく画像を表示手段に表示させる制御手段と、該制御手段の制御による画像を表示する表示手段とによりなるＣＰＤＬＣメッセージ作成システムにおいて、前記表示手段により表示されるＣＰＤＬＣメッセージ作成画面のイメージと前記管制指示入力手段に設けられる複数の操作機器の配列を対応づけて構成し、前記ＣＰＤＬＣメッセージ作成画面内に、複数のカテゴリ表示領域と、作成したＣＰＤＬＣメッセージ表示領域と、複数のパラメータ入力モード表示領域と、を設けるとともに、前記管制指示入力手段に、前記表示手段の表示画面上の複数のカテゴリ表示領域の表示内容と、前記表示手段の表示画面上のメッセージの動詞部の表示領域の表示内容と、前記表示手段の表示画面上の複数のパラメータ入力モード領域に対応したＣＰＤＬＣメッセージの複数のパラメータ入力モードと、を切替える操作機器を設け、前記管制指示入力手段は、前記管制指示入力手段を介して選択された前記カテゴリを前記制御手段に伝え、前記制御手段は、選択された前記カテゴリに属するＣＰＤＬＣメッセージの動詞部を、前記表示手段の表示画面上のメッセージの動詞部の表示領域に表示させるものである。
【０００７】
【発明の実施の形態】
実施形態１
図１は本発明の実施形態１，２に係るＣＰＤＬＣメッセージ作成システムのハードウェア構成図である。図１において、１は表示装置であり、例えばＣＲＴ型、ＬＣＤ（液晶）型、またはＰＶＤ（Plane View Display, レーダ表示装置）のいずれでもよい。２は制御装置であり、例えばＰＣ（パソコン）、ＷＳ（ワークステーション）等で構成できる。３は管制指示入力装置である。なお、この管制指示入力装置３の操作ボタン等の配列は実施形態１と２とでは異なっており、それぞれ図２と６にその配列例が示される。
図２は本発明の実施形態１に係る管制指示入力装置の一例を示す図であり、図のＡ〜Ｆ及びＨ〜Ｐはそれぞれ個別の選択ボタンである。またこの操作パネルには、このほかに、作成メッセージ送信ボタン、ポインティングデバイス及びパラメータ入力ダイヤルが設けられている。
【０００８】
図３は本発明の実施形態１，２に係る表示画面の一例を示す図であり、表示装置１の表示画面は図３に示すように領域▲１▼〜▲４▼に４分割されて表示される。なおこの４分割された領域のうち、領域▲１▼は航空機表示画面、領域▲２▼はＣＰＤＬＣメッセージ送信履歴表示画面、領域▲３▼は電子ストリップ表示画面、領域▲４▼はＣＰＤＬＣメッセージ作成画面としてそれぞれ使用される。
図４は本発明の実施形態１に係る表示画面の領域▲４▼の詳細図であり、図のＡ〜Ｅはカテゴリ表示領域、Ｆはカテゴリ表示領域の表示内容切換部、Ｇは作成メッセージ表示領域、Ｈ〜Ｌはメッセージの動詞部の表示領域、ＭはＨ〜Ｌの表示内容切換部、Ｎは第１パラメータ入力モード、Ｏは第２パラメータ入力モード、Ｐは第３パラメータ入力モード、Ｑはパラメータ表示領域である。
【０００９】
ここで上記の「カテゴリ」、「動詞部」、「パラメータ」の意味について説明をする。
「カテゴリ」は、ICAO（国際民間航空条約により組織された国連専門機関の１つ）の標準及び勧告方式であるSARPs(Standard And Recommended Practices) に約３００種のＣＰＤＬＣのメッセージが記載されており、その中で、業務内容を軸に分類させた最上位レベルの分類項目であり、例えばHeading カテゴリ、Level カテゴリ、Speed カテゴリ、Route カテゴリ、…等がある。
【００１０】
「動詞部」はカテゴリの下位レベルのアクション分類項目であり、例えばHeading カテゴリ内には、Turn headingアクション、Turn ground アクション、Fly アクション、…等があり、Level カテゴリ内には、Climb_Descend アクション、Climb_Descend Block アクション、…等があり、Speed カテゴリ内には、Increase_Reduce アクション、Maintain Presentアクション、…等がある。「パラメータ」は動詞部の下位レベルの運行指示値があるが、数値の場合と数値でない場合の両方がある。例えばHeading カテゴリでのTurn headingアクションのパラメータ、Level カテゴリでのClimb_Descendアクションのパラメータ、SpeedカテゴリでのIncrease_Reduce アクションのパラメータ等がある。
【００１１】
図５は本発明の実施形態１，２に係るＣＰＤＬＣメッセージ作成機能の構成図であり、図の１０１は管制指示入力装置処理部、１０２は表示処理部、１０３は表示部である。１０４はＣＰＤＬＣメッセージ作成部であり、ＣＰＤＬＣメッセージを作成するため、前記カテゴリ、動詞部、パラメータの三階層に分類されたデータメモリを内蔵している。
なお管制指示入力装置処理部１０１は管制指示入力装置３内に、表示処理部１０２及びＣＰＤＬＣメッセージ作成部１０３は制御装置２内に、また表示部１０３は表示装置１内にそれぞれ存在する。
【００１２】
図１〜５により、本発明の実施形態１を説明する。
まず管制官は、図３の領域▲１▼上に表示されている航空機の中から、管制指示を出したい航空機を決定するために、図２のポインティングデバイスを用いて選択した航空機を押下する。
この操作により、図５の管制指示入力装置処理部１０１は、表示処理部１０２に対して、航空機が選択されたことを伝える。これにより、表示処理部１０２はＣＰＤＬＣメッセージ作成部１０４に対して、領域▲４▼で作成されるＣＰＤＬＣ メッセージがこの選択された航空機に対してのものであることを伝える。また、表示処理部１０２は表示部１０３に対して、選択された該当航空機を強調表示するように伝える。
【００１３】
次に管制官は、この選択した航空機に対して管制指示を出すために、下記のようにＣＰＤＬＣメッセージを作成する。
本実施形態１においては、図２のボタンＡ〜Ｆ及びボタンＨ〜Ｐ（即ち各操作機器）と、図４の領域Ａ〜Ｆ及び領域Ｈ〜Ｐ（即ち各表示画面のイメージ）とは関連付けられている。例えば、ボタンＣを押下すると、図５の管制指示入力装置処理部１０１は表示処理部１０２に対して、領域Ｃに表示されている内容が選択されたことを伝える。そして、表示処理部１０２は表示部１０３に対して領域Ｃを一瞬だけ強調表示するように伝える。
ＣＰＤＬＣメッセージを作成するには、まず、図４の領域Ａ〜Ｅに表示されているカテゴリの中から、作成したいメッセージが属するカテゴリ名称を探す。そのカテゴリ名称が領域Ｃに表示されている場合には、対応するボタンＣを押下する。もし、所望のカテゴリ名称が領域Ａ〜領域Ｅに表示されていなければ、領域Ｆに対応した図２のボタンＦを押下する。ボタンＦが選択されたことを伝えられた表示処理部１０２は、領域Ａ〜領域Ｅに表示さるカテゴリ名称を変更するために、表示部１０３に対して、新たに領域Ａ〜Ｅに表示するカテゴリ名称を伝える。作成したいＣＰＤＬＣメッセージが属するカテゴリ名称が領域Ａ〜領域Ｅのいずれかに表示されるまでボタンＦを押下し、そのカテゴリ名称が表示されたある領域に対応したボタンを押下する。
【００１４】
管制官があるカテゴリを選択したとき、管制指示入力装置処理部１０１は、表示処理部１０２に対して、選択されたカテゴリを伝える。表示処理部１０２は、表示部１０３に対して、選択されたカテゴリに属するＣＰＤＬＣメッセージの動詞部を領域Ｈ〜Ｌに表示することを伝える。
管制官はカテゴリを選択したあと、領域Ｈ〜Ｌに表示されたＣＰＤＬＣメッセージの動詞部の中から、作成したいＣＰＤＬＣメッセージの動詞部を選択する。例えば、ボタンＫを押下した場合、表示処理部１０２は領域Ｋに表示されたＣＰＤＬＣメッセージの動詞部をもつＣＰＤＬＣメッセージを作成することをＣＰＤＬＣメッセージ作成部１０４に伝える。ＣＰＤＬＣメッセージ作成部１０４は、作成したＣＰＤＬＣメッセージの雛形（パラメータが未設定なＣＰＤＬＣメッセージのこと）を表示処理部１０２に伝え、表示処理部１０２は表示部１０３に、そのＣＰＤＬＣメッセージの雛形を領域Ｇに表示するように伝える。
【００１５】
領域Ｈ〜Ｌに作成したいＣＰＬＤＣメッセージの動詞部が表示されていない場合には、ボタンＭを押下する。この操作によって、表示処理部１０２は表示部１０３に対して、新たに領域Ｈ〜Ｌに表示するＣＰＤＬＣメッセージの動詞部を伝える。作成したいＣＰＤＬＣメッセージの動詞部が領域Ｈ〜Ｌに表示されるまでボタンＭを押下し、作成したいＣＰＤＬＣメッセージの動詞部が表示された領域に対応したボタンを押下する。
領域Ｈ〜Ｌのいずれかの領域に対応したボタンが押下されたとき、表示処理部１０２は表示部１０３に対して、領域Ｑに、選択されたＣＰＤＬＣメッセージがもつ第１パラメータを設定するための画面を表示するように伝える。
【００１６】
次にＣＰＤＬＣメッセージの雛形に対して、下記のように、そのＣＰＤＬＣメッセージがもつパラメータを設定する。
領域Ｇに表示されたＣＰＤＬＣメッセージの雛形の第１パラメータを設定したい場合には、ボタンＮを押下し、第２パラメータを設定したい場合には、ボタンＯを押下し、第３パラメータを設定したい場合には、ボタンＰを押下する。
管制指示入力装置処理部１０１からボタンＮ、ボタンＯもしくはボタンＰが押下されたことを伝えられた表示処理部１０２は、表示部１０３に対して領域Ｑに表示される内容を伝える。管制官が領域Ｑの表示を見ながら、図２のパラメータ入力ダイアルを回すと、管制指示入力装置処理部１０１は、表示処理部１０２に対してダイアル入力値を伝える。
【００１７】
表示処理部１０２は、ダイアル入力値をＣＰＤＬＣのパラメータ値に換算し、そのパラメータ値を表示部１０３に伝える。管制官はパラメータ入力ダイアルを回すことでパラメータ値を変化させ、設定したいパラメータ値に設定する。
上記方法で、ＣＰＤＬＣメッセージを作成したあと、図２の作成メッセージ送信ボタンを押下することで、選択した航空機に対して管制指示を送信することができる。
【００１８】
以上のように本実施形態１によれば、図２のボタン配列が図４に示した表示装置の領域▲４▼の画面イメージに対応づけられているため、領域▲４▼の画面を見ながら、ブラインドタッチのように管制指示入力装置３の操作機器を操作することができる。そのため、管制官の視線移動が少なくてすみ、管制としての安全性を損なうことなく、ＣＰＤＬＣメッセージによる管制指示を行うことが出来る。
またＣＰＤＬＣメッセージのカテゴリ及びＣＰＤＬＣメッセージの画面表示をボタンＦやボタンＭの単一ボタンで切替えることきができ、画面の大きさや入力装置の大きさの制約をうけることがないため、数多くのＣＰＤＬＣメッセージの作成を実現できる。そしてこの数多くのＣＰＤＬＣメッセージを用いて、木目細かな管制指示を出すことができる。
【００１９】
実施形態２
図６は本発明の実施形態２に係る管制指示入力装置の一例を示す図である。
図６においては、操作機器の数を減少できるように画面をスクロールできるカテゴリ選択ボタン及びＣＰＤＬＣメッセージ動詞部選択ボタンを設け、このほかに、入力モード決定ボタンと、図２と同様のポインテングデバイス、パラメータ入力ダイヤル及び作成メッセージ送信ボタンとを設けている。
図７は本発明の実施形態２に係る表示画面の領域▲４▼の詳細図であり、図のＡ〜Ｅはカテゴリ表示領域、Ｆは作成メッセージ表示領域、Ｇ〜Ｋはメッセージの動詞部の表示領域、Ｌは第１パラメータ入力モード、Ｍは第２パラメータ入力モード、Ｎは第３パラメータ入力モード、Ｏはパラメータ表示領域である。
なお実施形態２においては、図１，３及び５は、実施形態１と共通に使用して説明する。
【００２０】
図１，３，５，６及び７により本発明の実施形態２を説明する。
まず管制官は、図３の領域▲１▼上に表示されている航空機の中から、管制指示を出したい航空機を決定するために、図６のポインティングデバイスを用いて選択した航空機を押下する。
この操作により、図５の管制指示入力装置処理部１０１は、表示処理部１０２に対して、航空機が選択されたことを伝える。これにより、表示処理部１０２はＣＰＤＬＣメッセージ作成部１０４に対して、領域▲４▼で作成されるＣＰＤＬＣメッセージがこの選択された航空機に対してのものであることを伝える。又、表示処理部１０２は表示部１０３に対して、選択された該当航空機を強調表示するように伝える。
【００２１】
次に管制官は、この選択した航空機に対して管制指示を出すために、下記のようにＣＰＤＬＣメッセージを作成する。
ＣＰＤＬＣメッセージを作成するには、まず、図７のカテゴリ表示領域Ａ〜Ｅ上で、作成したいＣＰＤＬＣメッセージが属するカテゴリを決定する。
図６のカテゴリ選択ボタンの左矢印ボタンもしくは右矢印ボタンを押下することで図７の領域Ａ〜Ｅの選択状態を切替える。例えば、領域Ｂで左矢印ボタンを押下すると領域Ａが選択状態となり、領域Ｂで右矢印ボタンを押下すると領域Ｃが選択状態になる。また、領域Ａで左矢印を押下したときには表示される領域名称が左スクロールされ、領域Ｄ、領域Ｃ、領域Ｂ、領域Ａに表示されていたカテゴリ名称は、それぞれ領域Ｅ、領域Ｄ、領域Ｃ、領域Ｂに表示され、領域Ａには新たに別のカテゴリ名称が表示される。同様に領域Ｅで右矢印を押下したときには右スクロールされ、領域Ｂ、領域Ｃ、領域Ｄ、領域Ｅに表示されていたカテゴリ名称は、それぞれ領域Ａ、領域Ｂ、領域Ｃ、領域Ｄに表示され、領域Ｅには新たに別のカテゴリ名称が表示される。
【００２２】
管制指示入力装置処理部１０１は表示処理部１０２に対して、選択状態にある領域がどちら向きに切り替ったか（左向きに切り替ったのか、右向きに切り替ったのか）を伝える。
表示処理部１０２は表示部１０３に対して、選択状態にある領域を強調表示させることを伝える。
作成したいＣＰＤＬＣメッセージが属するカテゴリ名称を選択状態にできたとき、図６のカテゴリ選択ボタンのSelectボタンを押下することでカテゴリを決定する。このSelectボタンが押下されたとき、管制指示入力装置処理部１０１は表示処理部１０２に対して、現在選択状態にあるカテゴリが決定されたことを伝える。表示処理部１０２は表示部１０３に対して、決定されたカテゴリに属するＣＰＤＬＣメッセージの動詞部を領域Ｇ〜Ｋに表示することを伝える。
【００２３】
カテゴリを決定したあと、領域Ｇ〜Ｋに表示されたＣＰＤＬＣメッセージの動詞部の中から、作成したいＣＰＤＬＣメッセージの動詞部を選択する。
即ち図６のＣＰＤＬＣメッセージ動詞部選択ボタンの上矢印もしくは下矢印を押下し、図７の領域Ｇ〜Ｋの選択状態を切替える。領域Ｇで上矢印を押下したときには表示される領域名称が上スクロールされ、領域Ｋで下矢印を押下したときには下スクロールされることにより、領域Ｇ〜領域Ｋに表示されるＣＰＤＬＣメッセージの動詞部を切替えることができる。
管制指示入力装置処理部１０１は表示処理部１０２に対して、選択状態にある領域がどちら向きに切り替ったか（上向きに切り替ったのか、下向きに切り替ったのか）を伝える。表示処理部１０２は表示部１０３に対して、選択状態にある領域を強調表示させるように伝える。例えば、領域Ｈが選択状態である場合、表示処理部１０２は、領域Ｈに表示されたＣＰＤＬＣメッセージを作成することをＣＰＤＬＣメッセージ作成部１０４に伝える。ＣＰＤＬＣメッセージ作成部１０４は、作成したＣＰＤＬＣメッセージの雛形（パラメータが未設定なＣＰＤＬＣメッセージのこと）を表示処理部１０２に伝え、表示処理部１０２は表示部１０３に、そのＣＰＤＬＣメッセージの雛形を領域Ｆに表示するように伝える。
【００２４】
作成したいＣＰＤＬＣメッセージの動詞部を選択状態にできたとき、図６のＣＰＤＬＣメッセージ動詞部選択ボタンのSelectボタンを押下することでＣＰＤＬＣメッセージの動詞部を決定する。
表示処理部１０２は表示部１０３に対して、領域Ｏに、決定されたＣＰＤＬＣメッセージがもつ第１パラメータを設定するための画面を表示するように伝える。
【００２５】
次にＣＰＤＬＣメッセージの雛形に対して、下記のようにそのＣＰＤＬＣメッセージがもつパラメータを設定する。
領域Ｆに表示されたＣＰＤＬＣメッセージの雛形の第１パラメータを設定したい場合には、図６の入力モード設定用のボタンＬを押下し、第２パラメータを設定したい場合には、ボタンＭを押下し、第３パラメータを設定したい場合には、ボタンＮを押下する。
管制指示入力装置処理部１０１からボタンＬ、ボタンＭもしはくボタンＮが押下されたことを伝えられた表示処理部１０２は、表示部１０３に対して領域Ｏに表示される内容を伝える。
【００２６】
管制官が領域Ｏの表示を見ながら、図６のパラメータ入力ダイアルを回すと、管制指示入力装置処理部１０１は、表示処理部１０２に対してダイアル入力値を伝える。表示処理部１０２は、ダイアル入力値をＣＰＤＬＣのパラメータ値に換算し、そのパラメータ値を表示部１０３に伝える。管制管はパラメータ入力ダイアルを回すことでパラメータ値を変化させ、設定したいパラメータ値に設定する。
上記方法で、ＣＰＤＬＣメッセージを作成したあと、図６の作成メッセージ送信ボタンを押下することで、選択した航空機に対して管制指示を出すことができる。
【００２７】
以上のように本実施形態２によれば、図６に示す管制指示入力装置上で必要なボタン操作のほとんどが矢印ボタンの操作であるため、管制官がボタン選択等のために手元をみる必要が少なく、その結果管制官の視線移動が少なくて済み、管制としての安全性を損なうことなく、ＣＰＤＬＣメッセージによる管制指示を行うことが出来る。
【００２８】
前記実施形態１，２ではＣＰＤＬＣメッセージの作成に関する例を説明したが、本発明の適用例はＣＰＤＬＣメッセージに限定されるものではなく、一般の定型文の作成装置にも適用が可能である。
また前記実施形態１では、カテゴリとして画面に表示される領域及びＣＰＤＬＣメッセージの動詞部として画面に表示される領域の数は５つとした例を示したが、この数はいくつであってもよく、任意数の領域に対応した数のボタンが管制指示入力装置に実装されていればよい。
【００２９】
また前記実施形態２では、カテゴリとして画面に表示される領域及びＣＰＤＬＣメッセージの動詞部として画面に表示される領域での選択状態の切替を、矢印ボタンを用いることで実現している例を示したが、画面での切替えイメージと操作感の関連付けができる選択状態切替手段（例えばダイアル切換器等）を用いることもできる。
【００３０】
【発明の効果】
以上のように本発明によれば、管制官が航空機パイロットに送信する管制指示データを入力する管制指示入力手段と、該管制指示入力手段からの指示によりＣＰＤＬＣメッセージを作成すると共に前記指示及び作成結果に基づく画像を表示手段に表示させる制御手段と、該制御手段の制御による画像を表示する表示手段とによりなるＣＰＤＬＣメッセージ作成システムにおいて、前記表示手段により表示されるＣＰＤＬＣメッセージ作成画面のイメージと前記管制指示入力手段に設けられる複数の操作機器の配列を対応づけて構成するようにしたので、管制官は表示装置の画面をみながらブラインドタッチのように管制指示入力手段を操作することができる。そのため、管制官の視線移動が少なくて済み、管制としての安全性を損なうことなく、ＣＰＤＬＣメッセージを作成することができる。
【図面の簡単な説明】
【図１】本発明の実施形態１，２に係るＣＰＤＬＣメッセージ作成装置の構成図である。
【図２】本発明の実施形態１に係る管制入力装置の一例を示す図である。
【図３】本発明の実施形態１，２に係る表示画面の一例を示す図である。
【図４】本発明の実施形態１に係る表示画面の領域▲４▼の詳細図である。
【図５】本発明の実施形態１，２に係るＣＰＤＬＣメッセージ作成機能の構成図である。
【図６】本発明の実施形態２に係る管制指示入力装置の一例を示す図である。
【図７】本発明の実施形態２に係る表示画面の領域▲４▼の詳細図である。
【符号の説明】
１  表示装置
２  制御装置
３  管制指示入力装置
１０１  管制指示入力装置処理部
１０２  表示処理部
１０３  表示部
１０４  ＣＰＤＬＣメッセージ作成部
【図１】
0004210772.tif 000002
【図２】
0004210772.tif 000003
【図３】
0004210772.tif 000004
【図４】
0004210772.tif 000005
【図５】
0004210772.tif 000006
【図６】
0004210772.tif 000007
【図７】
0004210772.tif 000008